(57)【要約】【課題】  大容量データストリームについて複数の搬送波を用いる必要がある場合であっても、適切なデータ伝送を行うことを可能とする送信装置及び伝送システムを提供する。【解決手段】  送信装置１０は、大容量データストリームの分割によって得られるパケットを所定数のパケット配置用スロット及びヘッダによって構成されるフレームに多重するとともに、複数の分割データストリームを生成する多重化部１１と、複数の分割データストリームを互いに異なる複数の搬送波によって送信する送信処理部１２とを備え、多重化部１１は、複数の分割データストリームを搬送する複数の搬送波を識別するグループＩＤをヘッダに付与する。【選択図】図２
2016027700.tif 000002
【特許請求の範囲】
【請求項１】
１つの搬送波の伝送容量を超える伝送容量を有する大容量データストリームを送信する送信装置であって、
前記大容量データストリームの分割によって得られるパケットを所定数のパケット配置用スロット及びヘッダによって構成されるフレームに多重するとともに、複数の分割データストリームを生成する多重化部と、
前記複数の分割データストリームを互いに異なる複数の搬送波によって送信する送信部とを備え、
前記多重化部は、前記複数の分割データストリームを搬送する前記複数の搬送波を識別するグループＩＤを前記ヘッダに付与することを特徴とする送信装置。
【請求項２】
１つの搬送波の伝送容量を超える伝送容量を有する大容量データストリームを送信する送信装置であって、
前記大容量データストリームの分割によって得られるパケットを所定数のパケット配置用スロット及びヘッダによって構成されるフレームに多重するとともに、複数の分割データストリームを生成する多重化部と、
前記複数の分割データストリームを互いに異なる複数の搬送波によって送信する送信部とを備え、
前記多重化部は、前記大容量データストリームを識別するグループＩＤを前記ヘッダに付与することを特徴とする送信装置。
【請求項３】
前記多重化部は、前記パケットを前記フレームに多重する順序を特定するための情報を前記ヘッダに付与することを特徴とする請求項１又は請求項２に記載の送信装置。
【請求項４】
１つの搬送波の伝送容量を超える伝送容量を有する大容量データストリームが送信装置から受信装置に送信される伝送システムであって、
前記送信装置は、
前記大容量データストリームの分割によって得られるパケットを所定数のパケット配置用スロット及びヘッダによって構成されるフレームに多重することによって、複数の分割データストリームを生成する多重化部と、
前記複数の分割データストリームを互いに異なる複数の搬送波によって送信する送信部とを備え、
前記多重化部は、前記複数の分割データストリームを搬送する前記複数の搬送波を識別するグループＩＤを前記ヘッダに付与することを特徴とする伝送システム。
【請求項５】
１つの搬送波の伝送容量を超える伝送容量を有する大容量データストリームが送信装置から受信装置に送信される伝送システムであって、
前記送信装置は、
前記大容量データストリームの分割によって得られるパケットを所定数のパケット配置用スロット及びヘッダによって構成されるフレームに多重することによって、複数の分割データストリームを生成する多重化部と、
前記複数の分割データストリームを互いに異なる複数の搬送波によって送信する送信部とを備え、
前記多重化部は、前記大容量データストリームを識別するグループＩＤを前記ヘッダに付与することを特徴とする伝送システム。
【発明の詳細な説明】
【技術分野】
【０００１】
本発明は、送信装置及び伝送システムに関する。
【背景技術】
【０００２】
従来、１つの搬送波（伝送チャネル）を用いて１系統以上のデータストリームを送信する技術が知られている。また、１つの搬送波の伝送容量の制限から、１つの搬送波によって１系統のデータストリームを送信できないケースが存在する。このようなケースに対する対策として、１系統のデータストリームを複数の分割データストリームに分割し、２以上の分割データストリームを２以上の搬送波を用いて送信する技術（以下、ＴＳ多重化技術）も提案されている（例えば、特許文献１）。
【０００３】
具体的には、上述したＴＳ多重化技術において、１つの分割データストリームは、１つの搬送波を用いて送信されており、所定数のパケット配置用スロット及びヘッダを有する複数のフレームによって構成される。各フレームのヘッダは、複数の分割データストリームを受信装置が再構成するために必要な情報（再構成情報）を含む。再構成情報は、少なくとも、互いに異なる複数の分割データストリームを構成するパケットを複数のフレームのそれぞれにサイクリックに多重する順序を特定するための情報を含む。
【０００４】
なお、データストリームは、固定長のパケット（例えば、ＴＳ（ＭＰＥＧ−２  Ｔｒａｎｓｐｏｒｔ  Ｓｔｒｅａｍ）パケット）又は可変長のパケット（例えば、ＴＬＶ（Ｔｙｐｅ  Ｌｅｎｇｔｈ  Ｖａｌｕｅ）パケット）によって構成される。
【先行技術文献】
【特許文献】
【０００５】
【特許文献１】特開２００３−５１８４９号公報
【発明の概要】
【発明が解決しようとする課題】
【０００６】
ところで、近年では、ＳＨＶ（Ｓｕｐｅｒ  Ｈｉｇｈ  Ｖｉｓｉｏｎ）のように、１系統のデータストリームに要求される伝送容量が非常に大きいサービスの検討が進んでいる。このようなサービスにおいては、２以上の系統のデータストリームのそれぞれについて、２以上の搬送波を用いる必要がある。すなわち、２以上の系統のデータストリームの分割が必要になる。
【０００７】
しかしながら、上述したＴＳ多重化技術では、１つの搬送波によって送信できないデータストリームが１系統のデータストリームであるケースが想定されているに過ぎない。従って、上述したＴＳ多重化技術を用いて、２以上の系統のデータストリームを送信装置が送信しても、２以上の系統のデータストリームを受信装置が区別することができず、適切なデータ伝送を行うことができない。
【０００８】
そこで、本発明は、上述した課題を解決するためになされてものであり、複数系統のデータストリームのそれぞれについて、複数の搬送波を用いる必要がある場合であっても、適切なデータ伝送を行うことを可能とする送信装置及び伝送システムを提供することを目的とする。
【課題を解決するための手段】
【０００９】
第１の特徴は、１つの搬送波の伝送容量を超える伝送容量を有する大容量データストリームを送信する送信装置であって、前記大容量データストリームの分割によって得られるパケットを所定数のパケット配置用スロット及びヘッダによって構成されるフレームに多重するとともに、複数の分割データストリームを生成する多重化部と、前記複数の分割データストリームを互いに異なる複数の搬送波によって送信する送信部とを備え、前記多重化部は、前記複数の分割データストリームを搬送する前記複数の搬送波を識別するグループＩＤを前記ヘッダに付与することを要旨とする。
【００１０】
第２の特徴は、１つの搬送波の伝送容量を超える伝送容量を有する大容量データストリームを送信する送信装置であって、前記大容量データストリームの分割によって得られるパケットを所定数のパケット配置用スロット及びヘッダによって構成されるフレームに多重するとともに、複数の分割データストリームを生成する多重化部と、前記複数の分割データストリームを互いに異なる複数の搬送波によって送信する送信部とを備え、前記多重化部は、前記大容量データストリームを識別するグループＩＤを前記ヘッダに付与することを要旨とする。
【００１１】
第３の特徴は、１つの搬送波の伝送容量を超える伝送容量を有する大容量データストリームが送信装置から受信装置に送信される伝送システムであって、前記送信装置は、前記大容量データストリームの分割によって得られるパケットを所定数のパケット配置用スロット及びヘッダによって構成されるフレームに多重することによって、複数の分割データストリームを生成する多重化部と、前記複数の分割データストリームを互いに異なる複数の搬送波によって送信する送信部とを備え、前記多重化部は、前記複数の分割データストリームを搬送する前記複数の搬送波を識別するグループＩＤを前記ヘッダに付与することを要旨とする。
【００１２】
第４の特徴は、１つの搬送波の伝送容量を超える伝送容量を有する大容量データストリームが送信装置から受信装置に送信される伝送システムであって、前記送信装置は、前記大容量データストリームの分割によって得られるパケットを所定数のパケット配置用スロット及びヘッダによって構成されるフレームに多重することによって、複数の分割データストリームを生成する多重化部と、前記複数の分割データストリームを互いに異なる複数の搬送波によって送信する送信部とを備え、前記大容量データストリームを識別するグループＩＤを前記ヘッダに付与することを要旨とする。
【発明の効果】
【００１３】
本発明によれば、複数系統のデータストリームのそれぞれについて、複数の搬送波を用いる必要がある場合であっても、適切なデータ伝送を行うことを可能とする送信装置及び伝送システムを提供することができる。
【図面の簡単な説明】
【００１４】
【図１】図１は、第１実施形態に係る伝送システム１００を示す図である。
【図２】図２は、第１実施形態に係る送信装置１０を示すブロック図である。
【図３】図３は、第１実施形態に係る受信装置２０を示すブロック図である。
【図４】図４は、第１実施形態に係るフレームの構成を説明するための図である。
【図５】図５は、第１実施形態に係るヘッダを説明するための図である。
【図６】図６は、第１実施形態に係るヘッダを説明するための図である。
【図７】図７は、第１実施形態に係るヘッダを説明するための図である。
【発明を実施するための形態】
【００１５】
以下において、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１６】
したがって、具体的な寸法などは以下の説明を参酌して判断すべきものである。また、図面相互間においても互いの寸法の関係や比率が異なる部分が含まれていることは勿論である。
【００１７】
［実施形態の概要］
実施形態に係る送信装置は、１つの搬送波の伝送容量を超える伝送容量を有する大容量データストリームを送信する。送信装置は、前記大容量データストリームの分割によって得られるパケットを所定数のパケット配置用スロット及びヘッダによって構成されるフレームに多重するとともに、複数の分割データストリームを生成する多重化部と、前記複数の分割データストリームを互いに異なる複数の搬送波によって送信する送信部とを備え、前記多重化部は、前記複数の分割データストリームを搬送する前記複数の搬送波を識別するグループＩＤを前記ヘッダに付与する。
【００１８】
実施形態では、大容量データストリームと対応する複数の分割データストリームを搬送する複数の搬送波を識別するグループＩＤを送信装置がヘッダに付与するため、複数の分割データストリームを搬送する複数の搬送波（言い換えると、大容量データストリーム）を受信装置が区別することができる。従って、大容量データストリームについて複数の搬送波を用いる必要がある場合であっても、大容量データストリームを受信装置が再構成することができ、適切なデータ伝送を行うことができる。
【００１９】
［第１実施形態］
（伝送システム）
以下において、第１実施形態に係る伝送システムについて説明する。図１は、第１実施形態に係る伝送システム１００を示す図である。図２は、第１実施形態に係る送信装置１０を示すブロック図であり、図３は、第１実施形態に係る受信装置２０を示すブロック図である。
【００２０】
図１に示すように、伝送システムは、送信装置１０及び受信装置２０を有する。送信装置１０及び受信装置２０は、有線伝送路で接続されている。有線伝送路は、例えば、商用のケーブルテレビサービス等で用いられる伝送路である。
【００２１】
ここで、送信装置１０は、１つの搬送波の伝送容量を超える伝送容量を有する大容量データストリームとして、複数系統の大容量データストリームを受信装置２０に送信する。大容量データストリームは、例えば、ＳＨＶ（Ｓｕｐｅｒ  Ｈｉｇｈ  Ｖｉｓｉｏｎ）で用いられる解像度（７６８０×４３２０）、いわゆる８Ｋに対応するデータストリームである。
【００２２】
また、送信装置１０は、１つの搬送波の伝送容量を超えない伝送容量を有する小容量データストリームを受信装置２０に送信してもよい。小容量データストリームは、例えば、フルＨＤ（いわゆる２Ｋ）又はウルトラＨＤ（いわゆる４Ｋ）に対応するデータストリームである。なお、送信装置１０は、複数系統の小容量データストリームを１つの搬送波によって送信することができる。
【００２３】
データストリームは、例えば、固定長（例えば、１８８バイト）のパケット（例えば、ＴＳ（Ｔｒａｎｓｐｏｒｔ  Ｓｔｒｅａｍ）パケット）又は可変長のパケット（例えば、ＴＬＶ（Ｔｙｐｅ  Ｌｅｎｇｔｈ  Ｖａｌｕｅ）パケット）を含む。
【００２４】
第１実施形態では、送信装置１０から受信装置２０に対して、大容量データストリーム＃１〜＃Ｎ及び小容量データストリーム＃Ｍ〜＃Ｍ＋Ｋが送信されるケースについて例示する。但し、Ｎは、２以上の自然数であり、Ｍは、Ｎ＋１であり、Ｋは、Ｎ＋１よりも大きい任意の自然数である。
【００２５】
図２に示すように、送信装置１０は、多重化部１１と、送信処理部１２とを有する。
【００２６】
多重化部１１は、所定数のパケット配置用スロット及びヘッダによって構成されるフレームを生成する。例えば、フレームは、５３個のスロットによって構成されており、１スロットは、１８８バイト長である。最初の１つのスロットにヘッダが格納され、残りの５２のパケット配置用スロットにパケットが格納される。例えば、１つのスロットのサイズは、ＴＳパケットのサイズ（１８８バイト）と同様である。多重化部１１は、データストリームに固定長のＴＳパケットが含まれる場合には、ＴＳパケットをそのままスロットに格納する。一方で、多重化部１１は、データストリームに可変長のＴＬＶパケットが含まれる場合には、ＴＬＶパケットをスロットのサイズに分割するとともに、分割されたデータにヘッダが付加された１８８バイト長の分割ＴＬＶパケットをスロットに格納する。
【００２７】
具体的には、多重化部１１は、大容量データストリーム＃１〜＃Ｎのそれぞれを分割し、所定数のパケット配置用スロット及びヘッダによって構成される複数のフレームのそれぞれに、互いに異なる分割データストリーム（例えば、上述したＴＳパケット又は分割ＴＬＶパケット）をサイクリックに多重する。
【００２８】
第１実施形態において、多重化部１１は、１つの搬送波によって送信すべき分割データストリームに対して、互いに異なる系統の大容量データストリームの分割によって得られるパケットを多重せずに、同一系統の大容量データストリームの分割によって得られるパケットのみを多重する。
【００２９】
すなわち、多重化部１１は、大容量データストリーム＃１の分割によって得られるパケットのみを多重することによって、複数（図２では、３つ）の分割データストリーム＃１を生成する。言い換えると、分割データストリーム＃１は、大容量データストリーム＃１の分割によって得られるパケットのみを含む。なお、大容量データストリーム＃２〜＃Ｎについても同様の処理が行われる。
【００３０】
このようなケースにおいて、多重化部１１は、複数の分割データストリームを受信装置２０が再構成するために必要な情報（再構成情報）をヘッダに付与する。再構成情報は、少なくとも、大容量データストリームと対応する複数の分割データストリームを搬送する複数の搬送波を識別するグループＩＤを含む。言い換えると、グループＩＤは、複数系統の大容量データストリームのそれぞれを識別する情報である。再構成情報は、複数の搬送波のそれぞれによって送信される複数の分割データストリームを構成するパケットを複数のフレームのそれぞれにサイクリックに多重する順序を特定するための情報（以下、搬送波順序情報）を含むことが好ましい。なお、ヘッダの詳細については後述する（図５〜図７を参照）。
【００３１】
さらに、小容量データストリーム＃Ｍ〜＃Ｍ＋Ｋのそれぞれを複数の分割データストリームに分割する必要がない。従って、多重化部１１は、小容量データストリーム＃Ｍ〜＃Ｍ＋Ｋのそれぞれを分割し、所定数のパケット配置用スロット及びヘッダによって構成される複数のフレームを生成する。多重化部１１は、２以上の小容量データストリームの分割によって得られるパケットを１つのフレームに多重してもよい。このような方法は、例えば、特許第３０５１７２９号に記載されている通りである。
【００３２】
送信処理部１２は、多重化部１１から出力されるデータストリームの送信処理を行う。送信処理は、同期反転／拡散処理、符号化処理（例えば、リードソロモン符号を用いた符号化処理）、インタリーブ処理、バイト／シンボル変換処理、差動符号化処理、ロールオフフィルタ処理、変調処理（例えば、６４ＱＡＭ又は２５６ＱＡＭ）等である。これらの処理の詳細は、例えば、社団法人日本ＣＡＴＶ技術協会が定めるＪＣＴＥＡ  ＳＴＤ  −００２−５．３（デジタル有線テレビジョン放送「多重化装置」）で定める通りである。
【００３３】
送信処理部１２は、搬送波毎に設けられている。例えば、送信処理部１２−１Ａ，１Ｂ及び１Ｃは、それぞれ、搬送波ｆ＃１−１，ｆ＃１−２及びｆ＃１−３を用いて、３つの分割データストリーム＃１を送信する。同様に、送信処理部１２−２Ａ，２Ｂ及び２Ｃは、それぞれ、搬送波ｆ＃２−１，ｆ＃２−２及びｆ＃２−３を用いて、３つの分割データストリーム＃２を送信する。送信処理部１２−ＮＡ，ＮＢ及びＮＣは、それぞれ、搬送波ｆ＃ｎ−１，ｆ＃ｎ−２及びｆ＃ｎ−３を用いて、３つの分割データストリーム＃Ｎを送信する。
【００３４】
なお、送信処理部１２−Ｍ〜１２Ｍ＋Ｋは、それぞれ、搬送波ｆ＃ｍ〜ｆ＃ｍ＋ｋを用いて、小容量データストリーム＃Ｍ〜＃Ｍ＋Ｋを送信する。
【００３５】
図３に示すように、受信装置２０は、受信処理部２１と、再構成部２２とを有する。
【００３６】
受信処理部２１は、送信装置１０から受信するデータストリームの受信処理を行う。受信処理は、復調処理（例えば、６４ＱＡＭ又は２５６ＱＡＭ）、ロールオフフィルタ処理、差動復号処理、シンボル／バイト変換処理、デインタリーブ処理、復号処理（例えば、リードソロモン符号を用いた復号処理）、同期反転／逆拡散処理等である。これらの処理の詳細は、例えば、社団法人日本ＣＡＴＶ技術協会が定めるＪＣＴＥＡ  ＳＴＤ  −００２−５．３（デジタル有線テレビジョン放送「多重化装置」）で定める通りである。
【００３７】
受信処理部２１は、搬送波毎に設けられている。例えば、受信処理部２１−１Ａ，１Ｂ及び１Ｃは、それぞれ、搬送波ｆ＃１−１，ｆ＃２１及びｆ＃１−３を用いて、３つの分割データストリーム＃１を受信する。同様に、受信処理部２１−２Ａ，２Ｂ及び２Ｃは、それぞれ、搬送波ｆ＃２−１，ｆ＃２−２及びｆ＃２−３を用いて、３つの分割データストリーム＃２を受信する。受信処理部２１−ＮＡ，ＮＢ及びＮＣは、それぞれ、搬送波ｆ＃ｎ−１，ｆ＃ｎ−２及びｆ＃ｎ−３を用いて、３つの分割データストリーム＃Ｎを受信する。
【００３８】
なお、受信処理部２１−Ｍ〜２１Ｍ＋Ｋは、それぞれ、搬送波ｆ＃ｍ〜ｆ＃ｍ＋ｋを用いて、小容量データストリーム＃Ｍ〜＃Ｍ＋Ｋを受信する。
【００３９】
再構成部２２は、所定数のパケット配置用スロット及びヘッダによって構成されるフレームからデータストリームを再構成する。例えば、フレームは、上述したように、５３個のスロットによって構成されており、最初の１つのスロットにヘッダが格納され、残りの５２のパケット配置用スロットにパケット（例えば、上述したＴＳパケット又は分割ＴＬＶパケット）が格納される。
【００４０】
具体的には、再構成部２２は、大容量データストリーム＃１〜＃Ｎのそれぞれに対応する複数の分割ストリームから、大容量データストリーム＃１〜＃Ｎを再構成する。再構成部２２は、少なくとも、ヘッダに含まれるグループＩＤを用いて、大容量データストリーム＃１〜＃Ｎを再構成する。すなわち、再構成部２２は、グループＩＤを用いて同一のグループＩＤを有するフレームを特定するとともに、特定されたフレームの合成によって大容量データストリームを再構成する。なお、再構成部２２は、フレームに含まれる搬送波順序情報によって、同一のグループＩＤを有するフレームの並べ替えを行うことが好ましい。
【００４１】
これによって、大容量データストリームに含まれるネットワーク情報テーブル（ＮＩＴ）が複数の分割データストリームに分割される場合であっても、グループＩＤによって分割データストリームから大容量データストリームを再構成することができるため、ＮＩＴを特定することができる。ＮＩＴは、変調方式などの伝送路の情報と放送番組を関連付ける情報を記述したテーブルであり、デジタル放送のチャンネル選択などに用いられている。すなわち、受信装置２０は、ＮＩＴの特定によって複数系統の大容量データストリームを正しく受信することができる。
【００４２】
（フレーム構成）
以下において、第１実施形態に係るフレームの構成について説明する。図４は、第１実施形態に係るフレームの構成を説明するための図である。
【００４３】
図４に示すように、５３個のスロットによって構成されており、最初の１つのスロットにヘッダが格納され、残りの５２のパケット配置用スロットにパケットが格納される。
【００４４】
ここで、大容量データストリームを複数の分割データストリームに分割する技術（以下、複数搬送波伝送方式）で用いるフレームは、複数系統の小容量データストリームを１つの搬送波で伝送可能な技術（以下、複数ＴＳ伝送方式）で用いる既存のＴＳＭＦ（Ｔｒａｎｓｐｏｒｔ  Ｓｔｒｅａｍ  Ｍｕｌｔｉｐｌｅｘｉｎｇ  Ｆｒａｍｅ）を拡張したものである。既存のＴＳＭＦは、ＩＴＵ−Ｔ  Ｊ．１８３で規格化されている。複数搬送波伝送方式で用いるフレームを拡張ＴＳＭＦと称する。また、拡張ＴＳＭＦフレームのヘッダを拡張ＴＳＭＦヘッダと称する。
【００４５】
拡張ＴＳＭＦヘッダは、既存のＴＳＭＦヘッダと同様と構成に加えて、後述する拡張情報を含む。すなわち、拡張情報以外については、既存のＴＳＭＦヘッダと同様であることに留意すべきである。
【００４６】
拡張ＴＳＭＦヘッダは、図５に示すように、パケットヘッダ、多重フレーム同期信号、変更指示、スロット情報、識別子／相対ストリーム番号対応情報、送受信制御情報、相対ストリーム番号／スロット対応情報、拡張情報、ＣＲＣを含む。
【００４７】
パケットヘッダは、図６に示すように、フレームの同期をとるための同期バイト、拡張ＴＳＭＦヘッダを確実に識別するための多重フレームＰＩＤ、拡張ＴＳＭＦ毎にインクリメントされる値が格納される連続性指標を含む。
【００４８】
多重フレーム同期信号は、拡張ＴＳＭＦヘッダ毎に判定するビット列によって構成される。多重フレーム同期信号は、多重フレームＰＩＤと同様に、拡張ＴＳＭＦヘッダを確実に識別するための情報である。
【００４９】
変更指示は、拡張ＴＳＭＦが変更されるとインクリメントされる値である。変更指示を用いることによって、拡張ＴＳＭＦの変更と伝送誤りとを区別することができる。
【００５０】
スロット情報は、各スロットに割り当てられるＴＳパケット又はＴＬＶパケットの配置を区別する情報、拡張ＴＳＭＦに含まれる信号の組合せを示す多重フレーム形式などを含む。ここで、多重フレーム形式とは、（ａ）複数ＴＳ伝送方式のパケット（ＴＳパケット又はＴＬＶパケット）がフレームに含まれている状態、（ｂ）複数搬送波伝送方式のパケットの一部及び複数ＴＳ伝送方式のパケットがフレームに含まれている状態、（ｃ）複数搬送波伝送方式のパケットの一部のみがフレームに含まれている状態を識別する情報である。
【００５１】
識別子／相対ストリーム番号対応情報は、各スロットに格納されるＴＳパケット又はＴＬＶパケットが属するデータストリームの識別子と相対ストリーム番号を対応付けるための情報である。
【００５２】
送受信制御情報は、各スロットに格納されるＴＳパケット又はＴＬＶパケットの受信状態を示す情報である。
【００５３】
相対ストリーム番号／スロット対応情報は、各スロットに格納されるＴＳパケット又はＴＬＶパケットが属するデータストリームの相対ストリーム番号とスロットとを対応付けるための情報である。
【００５４】
拡張情報は、図７に示すように、地上波デジタル放送地震動警報情報ＡＣ、ストリーム種別、搬送波群の識別、搬送波の総数、搬送波の順序、フレーム数、フレーム位置情報を含む。
【００５５】
地上波デジタル放送地震動警報情報ＡＣは、地震動警報情報の構成を示す情報である。
【００５６】
ストリーム種別は、拡張ＴＳＭＦに含まれるパケットが属するデータストリームの種別（ＴＳ又はＴＬＶ）を示す情報である。
【００５７】
搬送波群の識別は、大容量データストリームと対応する複数の分割データストリームを搬送する複数の搬送波を識別するグループＩＤを含む。言い換えると、搬送波群の識別は、複数系統の大容量データストリームのそれぞれを識別するグループＩＤである。なお、複数搬送波伝送方式で伝送される大容量データストリームは、１つのグループＩＤに属する複数の搬送波のみによって送信される。例えば、図２及び図３に示す例では、分割データストリーム＃１に多重される拡張ＴＳＭＦの拡張ＴＳＭＦヘッダには、大容量データストリーム＃１を識別するグループＩＤが付与され、分割データストリーム＃２に多重される拡張ＴＳＭＦの拡張ＴＳＭＦヘッダには、大容量データストリーム＃２を識別するグループＩＤが付与され、分割データストリーム＃Ｎに多重される拡張ＴＳＭＦの拡張ＴＳＭＦヘッダには、大容量データストリーム＃Ｎを識別するグループＩＤが付与される。
【００５８】
搬送波の総数は、大容量データストリームの分割によって得られる分割データストリームを伝送する複数の搬送波の総数である。例えば、図２及び図３に示す大容量データストリーム＃１では、分割データストリームを伝送する搬送波の総数”３”が拡張ＴＳＭＦヘッダに付与される。
【００５９】
搬送波の順序は、互いに異なる分割データストリームを構成するパケットを複数の拡張ＴＳＭＦのそれぞれにサイクリックに多重する順序を特定するための情報（上述した搬送波順序情報）である。例えば、図２及び図３に示す大容量データストリーム＃１において、搬送波＃ｆ１−１、搬送波＃ｆ１−２及び搬送波＃ｆ１−３の順で、互いに異なる分割データストリーム＃１を構成するパケットを複数の拡張ＴＳＭＦのそれぞれにサイクリックに多重する場合には、搬送波＃ｆ１−１によって送信される分割データストリーム＃１に対応する拡張ＴＳＭＦヘッダの搬送波順序情報に“１”が付与され、搬送波＃ｆ１−２によって送信される分割データストリーム＃２に対応する拡張ＴＳＭＦヘッダの搬送波順序情報に“２”が付与され、搬送波＃ｆ１−３によって送信される分割データストリーム＃３に対応する拡張ＴＳＭＦヘッダの搬送波順序情報に“３”が付与される。
【００６０】
フレーム数は、複数の拡張ＴＳＭＦによって構成されるフレーム（以下、スーパーフレーム）を定義する情報である。フレーム数は、スーパーフレームに含まれており、１つの搬送波によって送信される拡張ＴＳＭＦの数を示している。
【００６１】
フレーム位置情報は、スーパーフレームにおいて拡張ＴＳＭＦが何番目に位置するかを示す情報である。
【００６２】
ＣＲＣは、拡張ＴＳＭＦヘッダの誤り検出に用いるビット列である。ＣＲＣは、拡張ＴＳＭＦヘッダのうち、先頭の４バイトを除いた１８４バイトから生成される。
【００６３】
（作用及び効果）
第１実施形態では、大容量データストリームと対応する複数の分割データストリームを搬送する複数の搬送波を識別するグループＩＤを送信装置１０がヘッダ（拡張ＴＳＭＦヘッダ）に付与するため、複数の分割データストリームを搬送する複数の搬送波（言い換えると、大容量データストリーム）を受信装置２０が区別することができる。従って、大容量データストリームについて複数の搬送波を用いる必要がある場合であっても、大容量データストリームを受信装置２０が再構成することができ、適切なデータ伝送を行うことができる。
【００６４】
言い換えると、大容量データストリームに含まれるネットワーク情報テーブル（ＮＩＴ）が複数の分割データストリームに分割される場合であっても、グループＩＤによって分割データストリームから大容量データストリームを再構成することができるため、ＮＩＴを特定することができる。すなわち、受信装置２０は、ＮＩＴの特定によって複数系統の大容量データストリームを正しく受信することができる。
【００６５】
［まとめ］
１つの搬送波の伝送容量を超える伝送容量を有する大容量データストリームを送信する送信装置は、前記大容量データストリームの分割によって得られるパケットを所定数のパケット配置用スロット及びヘッダによって構成されるフレームに多重するとともに、複数の分割データストリームを生成する多重化部と、前記複数の分割データストリームを互いに異なる複数の搬送波によって送信する送信部とを備え、前記多重化部は、前記複数の分割データストリームを搬送する前記複数の搬送波を識別するグループＩＤ又は前記大容量データストリームを識別するグループＩＤを前記ヘッダに付与する。
【００６６】
１つの搬送波の伝送容量を超える伝送容量を有する大容量データストリームを受信する受信装置は、互いに異なる複数の搬送波によって送信される複数の分割データストリームを受信する受信部と、前記複数の分割データストリームから、前記大容量データストリームを再構成する再構成部とを備え、互いに異なる分割データストリームを構成するパケットは、複数のフレームに多重されており、前記複数のフレームのそれぞれは、所定数のパケット配置用スロット及びヘッダを含み、前記ヘッダは、前記複数の分割データストリームを搬送する前記複数の搬送波を識別するグループＩＤ又は前記大容量データストリームを識別するグループＩＤを含み、前記再構成部は、少なくとも前記グループＩＤを用いて、前記複数系統の大容量データストリームを再構成する。
【００６７】
１つの搬送波の伝送容量を超える伝送容量を有する大容量データストリームが送信装置から受信装置に送信される伝送システムは、上述した送信装置及び受信装置の少なくともいずれかを含む。
【００６８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６９】
実施形態では特に触れていないが、送信装置１０（多重化部１１）は、１つの搬送波によって送信すべき分割ストリームに対して、１つの搬送波の伝送容量を超えない伝送容量を有する小容量データストリームを多重してもよい。例えば、図２及び図３に示す例では、送信装置１０（多重化部１１）は、搬送波＃ｆ１−１及び搬送波＃ｆ１−２によって送信される分割データストリーム＃１に対して、大容量データストリーム＃１の分割によって得られる拡張ＴＳＭＦのみを多重するとともに、搬送波＃ｆ１−３によって送信される分割データストリーム＃１に対して、小容量データストリーム＃Ｍ〜＃Ｍ＋Ｋのうち、少なくともいずれか１つの小容量データストリームを多重してもよい。搬送波＃ｆ１−３によって送信される分割データストリーム＃１には、２以上の小容量データストリームが多重されてもよい。
【００７０】
実施形態では特に触れていないが、送信装置１０及び受信装置２０が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００７１】
或いは、送信装置１０及び受信装置２０が行う各処理を実行するためのプログラムを記憶するメモリ及びメモリに記憶されたプログラムを実行するプロセッサによって構成されるチップが提供されてもよい。
【符号の説明】
【００７２】
１０…送信装置、１１…多重化部、１２…送信処理部、２０…受信装置、２１…受信処理部、２２…再構成部、１００…伝送システム
【図１】
2016027700.tif 000003
【図２】
2016027700.tif 000004
【図３】
2016027700.tif 000005
【図４】
2016027700.tif 000006
【図５】
2016027700.tif 000007
【図６】
2016027700.tif 000008
【図７】
2016027700.tif 000009